(57)【要約】【課題】傾斜可能に設けられたディスプレイ部と、複数種類の記録媒体の再生部とからなる記録媒体再生装置において、記録媒体の誤挿入を防止すると共に、所望する記録媒体を所定の挿入口に容易に挿入できるようにすること。【解決手段】傾斜可能に設けられたディスプレイ部と、ディスプレイ部の裏面後方に複数種類の記録媒体の挿入口を複数有する本体前面部と、本体前面部に接続し記録媒体の再生部が内設される本体部とからなる記録媒体再生装置において、ディスプレイ部の上端部に回動自在に設けられ、記録媒体のそれぞれの幅に相当するガイド部を有する挿入ガイドと、挿入ガイドに係止し、挿入ガイドを挿入口形成面側方向に付勢する付勢部材とからなり、ガイド部は、ディスプレイ部の傾斜に伴って対応する記録媒体の挿入口へ、挿入口の形成面に沿って移動することを特徴とする。【選択図】図１
2004103160.tif 000002
【特許請求の範囲】
【請求項１】
傾斜可能に設けられたディスプレイ部と、該ディスプレイ部の裏面後方に複数種類の記録媒体の挿入口を複数有する本体前面部と、該本体前面部に接続し該記録媒体の再生部が内設される本体部とからなる記録媒体再生装置において、
前記ディスプレイ部には、前記記録媒体のそれぞれの幅に相当するガイド部を有する挿入ガイドが設けられており、
前記ガイド部は、前記ディスプレイ部の傾斜に伴って、対応する記録媒体の挿入口へ移動することを特徴とする記録媒体再生装置。
【請求項２】
傾斜可能に設けられたディスプレイ部と、該ディスプレイ部の裏面後方に複数種類の記録媒体の挿入口を複数有する本体前面部と、該本体前面部に接続し該記録媒体の再生部が内設される本体部とからなる記録媒体再生装置において、
前記ディスプレイ部の上端部に回動自在に設けられ、前記記録媒体のそれぞれの幅に相当するガイド部を有する挿入ガイドと、
前記挿入ガイドに係止し、該挿入ガイドを前記挿入口形成面側方向に付勢する付勢部材とからなり、
前記ガイド部は、前記ディスプレイ部の傾斜に伴って対応する記録媒体の挿入口へ該挿入口の形成面に沿って移動することを特徴とする記録媒体再生装置。
【請求項３】
前記ガイド部は、前記複数種類の記録媒体のそれぞれの挿入幅で、階段状の受面が対向して形成されていることを特徴とする請求項１または請求項２に記載の記録媒体再生装置。
【請求項４】
前記受面は、断面形状が山形形状に形成されていることを特徴とする請求項１、請求項２または請求項３に記載の記録媒体再生装置。
【請求項５】
前記ガイド部は、最小寸法の記録媒体の挿入幅と最大寸法の記録媒体の挿入幅とに外接し、天面側方向に増大するように直線で結ばれた傾斜面であることを特徴とする請求項１または請求項２に記載の記録媒体再生装置。
【請求項６】
前記挿入ガイドは、変形可能な弾性部材で形成されており、前記ディスプレイ部が垂直状態においては該挿入ガイドが前記本体前面部の内部に収納されることを特徴とする請求項２または請求項５に記載の記録媒体再生装置。
【請求項７】
傾斜可能に設けられたディスプレイ部と、該ディスプレイ部の裏面後方に複数種類の記録媒体の挿入口を複数有する本体前面部と、該本体前面部に接続し該記録媒体の再生部が内設される本体部とからなる記録媒体再生装置において、
記録媒体の水平挿入状態における前記挿入口には、該挿入口の下側面の両側に当該記録媒体の最小必要寸法の受面を残して溝が設けられ、該溝の奥に該受面より低い突出部が設けられていることを特徴とする記録媒体再生装置。
【請求項８】
ディスプレイ部と、前後方向に移動可能なレバーを有し該ディスプレイ部の下端部に接続して設けられるディスプレイ傾斜手段と、該ディスプレイ部の裏面後方に複数種類の記録媒体の挿入口を複数有する本体前面部と、該本体前面部に接続し該記録媒体の再生部が内設される本体部とからなる記録媒体再生装置において、
短冊状をなし所定の位置に前記複数種類の記録媒体が挿通可能な挿通口が設けられた閉鎖部材と、
前記閉鎖部材の終端部に係止し、該閉鎖部材を前記本体部の方向へ引張する付勢部材とからなり、
前記閉鎖部材は、前記挿入口の裏面側に沿って垂直方向に設けられ、該閉鎖部材の先端部が前記ディスプレイ部の上端部に連結されおり、該ディスプレイ部の傾斜に伴って、前記挿通口が所望する録媒体の挿入口へ移動するように設けられていることを特徴とする記録媒体再生装置。
【請求項９】
前記閉鎖部材は、先端部が前記レバーに固定されていることを特徴とする請求項８に記載の記録媒体再生装置。
【発明の詳細な説明】
【０００１】
【発明の属する技術分野】
本発明は、傾斜可能に設けられたディスプレイ部と、複数種類の記録媒体の再生部とが一体に構成された一体型の記録媒体再生装置に係り、詳細には記録媒体の誤挿入を防止すると共に、挿入口に容易に挿入できる構造に関する。
【０００２】
【従来の技術】
傾斜可能に設けられたディスプレイ部の裏面後方に複数種類の記録媒体の再生部が一体に構成された一体型の記録媒体再生装置を図９を用いて説明する。
【０００３】
図９は従来の記録媒体再生装置を示す概略図で、（ａ）正面図、（ｂ）側面図である。
【０００４】
１００は傾斜可能に設けられたディスプレイ部１１０と、ディスプレイ部１１０の裏面後方の本体前面部１２０に接続して、本体部には複数種類の記録媒体の再生部やディスプレイ部１１０の傾斜角度を調整するスライド機構（例えば、ラックとモータ軸に固定されたピニオンとの歯合により前後方向に移動する）などが一体に構成された一体型の記録媒体再生装置である。
【０００５】
ディスプレイ部１１０の上部には、側面方向に突出してガイドピン１１１が設けられており、本体前面部１２０の内側面に形成されたガイド溝１２１に係合している。また、ディスプレイ部１１０の下部はスライド機構のスライド部１２５の先端部に回動自在に接続している。したがって、モータの回転方向を切り換えることにより、ディスプレイ部１１０の下部が前後方向に移動する。この動きに連動してディスプレイ部１１０の上部が上下方向に移動するので、ディスプレイ部１１０の傾斜角度を垂直状態から水平状態まで無段階に調整することができる。
【０００６】
本体前面部１２０の前面部の側面にはディスプレイ部１１０の上部に設けられたガイドピン１１１に係合し、垂直上下方向の移動をガイドするガイド溝１２１が形成されている。また、前面板１２２にはそれぞれの記録媒体の挿入口１２３、１２４が設けられている。その他に、スライド機構のスライド部１２５の挿通孔などが設けられている。
【０００７】
次に、記録媒体の挿入または排出について説明する。
【０００８】
ディスプレイ部１１０のモニタリング状態から記録媒体を再生部に挿入または再生部から排出するには、先ずスライド機構のスライド部１２５を前方へ移動させ、ディスプレイ部１１０を所定の角度に傾斜させる。この状態で、所定の挿入口（再生部）に所望する記録媒体を挿入したり、または記録媒体を排出する。次に、記録媒体の挿入・排出動作が完了すればスライド機構を後方へ移動させて、ディスプレイ部１１０を元の状態（例えば、モニタリング状態または垂直状態）に戻す。これらの動作は、内蔵されたコンピュータに記録されており、釦操作により実行される。
【０００９】
【特許文献１】
特開平６−２８８３７号公報
【００１０】
【発明が解決しようとする課題】
しかし、上述の記録媒体再生装置１００では、記録媒体を再生する際にディスプレイ部１１０を所定の角度傾け、所望する記録媒体を所定の挿入口１２３または１２４に挿入して再生する。この場合に、形状が類似した記録媒体では間違えて別の記録媒体の挿入口に挿入する不具合を起こす場合がある。また、形状の小さな記録媒体を形状の大きい記録媒体の挿入口に誤挿入する不具合を起こす可能性もある。
【００１１】
本発明は上述の問題を解決するもので、傾斜可能に設けられたディスプレイ部と、複数種類の記録媒体の再生部などにより構成される記録媒体再生装置において、記録媒体の誤挿入を防止すると共に、所望する記録媒体を所定の挿入口に容易に挿入できるようにすることを目的とする。
【００１２】
【課題を解決するための手段】
本発明は上述の目的を達成するもので、傾斜可能に設けられたディスプレイ部と、該ディスプレイ部の裏面後方に複数種類の記録媒体の挿入口を複数有する本体前面部と、該本体前面部に接続し該記録媒体の再生部が内設される本体部とからなる記録媒体再生装置において、前記ディスプレイ部には、前記記録媒体のそれぞれの幅に相当するガイド部を有する挿入ガイドが設けられており、前記ガイド部は、前記ディスプレイ部の傾斜に伴って、対応する記録媒体の挿入口へ移動することを特徴とするものである。
【００１３】
また、傾斜可能に設けられたディスプレイ部と、該ディスプレイ部の裏面後方に複数種類の記録媒体の挿入口を複数有する本体前面部と、該本体前面部に接続し該記録媒体の再生部が内設される本体部とからなる記録媒体再生装置において、前記ディスプレイ部の上端部に回動自在に設けられ、前記記録媒体のそれぞれの幅に相当するガイド部を有する挿入ガイドと、前記挿入ガイドに係止し、該挿入ガイドを前記挿入口形成面側方向に付勢する付勢部材とからなり、前記ガイド部は、前記ディスプレイ部の傾斜に伴って対応する記録媒体の挿入口へ該挿入口の形成面に沿って移動することを特徴とするものである。
【００１４】
また、前記ガイド部は、前記複数種類の記録媒体のそれぞれの挿入幅で、階段状の受面が対向して形成されていることを特徴とするものである。
【００１５】
また、前記受面は、断面形状が山形形状に形成されていることを特徴とするものである。
【００１６】
また、前記ガイド部は、最小寸法の記録媒体の挿入幅と最大寸法の記録媒体の挿入幅とに外接し、天面側方向に増大するように直線で結ばれた傾斜面であることを特徴とするものである。
【００１７】
また、前記挿入ガイドは、変形可能な弾性部材で形成されており、前記ディスプレイ部が垂直状態においては該挿入ガイドが前記本体前面部の内部に収納されることを特徴とするものである。
【００１８】
また、傾斜可能に設けられたディスプレイ部と、該ディスプレイ部の裏面後方に複数種類の記録媒体の挿入口を複数有する本体前面部と、該本体前面部に接続し該記録媒体の再生部が内設される本体部とからなる記録媒体再生装置において、記録媒体の水平挿入状態における前記挿入口には、該挿入口の下側面の両側に当該記録媒体の最小必要寸法の受面を残して溝が設けられ、該溝の奥に該受面より低い突出部が設けられていることを特徴とするものである。
【００１９】
また、ディスプレイ部と、前後方向に移動可能なレバーを有し該ディスプレイ部の下端部に接続して設けられるディスプレイ傾斜手段と、該ディスプレイ部の裏面後方に複数種類の記録媒体の挿入口を複数有する本体前面部と、該本体前面部に接続し該記録媒体の再生部が内設される本体部とからなる記録媒体再生装置において、短冊状をなし所定の位置に前記複数種類の記録媒体が挿通可能な挿通口が設けられた閉鎖部材と、前記閉鎖部材の終端部に係止し、該閉鎖部材を前記本体部の方向へ引張する付勢部材とからなり、前記閉鎖部材は、前記挿入口の裏面側に沿って垂直方向に設けられ、該閉鎖部材の先端部が前記ディスプレイ部の上端部に連結されており、該ディスプレイ部の傾斜に伴って、前記挿通口が所望する録媒体の挿入口へ移動するように設けられていることを特徴とするものである。
【００２０】
また、前記閉鎖部材は、先端部が前記レバーに固定されていることを特徴とするものである。
【００２１】
【発明の実施の形態】
本発明の第１の実施の形態を図１乃至図４を用いて説明する。
【００２２】
図１は本発明の第１の実施の形態に係る記録媒体再生装置を示す概略図で、（ａ）正面図、（ｂ）側面図、（ｃ）挿入ガイド取付部の拡大図である。図２は本発明の第１の実施の形態に係る挿入ガイドと一部が異なる挿入ガイドを示す概略正面図である。図３は本発明の第１の実施の形態に係る挿入ガイドと一部が異なる別の挿入ガイドを示す概略側面図である。
【００２３】
１０は傾斜可能に設けられたディスプレイ部２０と、ディスプレイ部２０の裏面後方の本体前面部３０に接続した本体部には、複数種類の記録媒体の再生部やディスプレイ部２０の傾斜角度を調整するスライド機構（例えば、ラックとモータ軸に固定されたピニオンとの歯合により前後方向に移動する）などが一体に構成された一体型の記録媒体再生装置である。
【００２４】
ディスプレイ部２０の上端部には、複数の記録媒体のそれぞれの幅に相当し、対向する階段状のガイド部２２、２３を有する挿入ガイド２１が設けられている。挿入ガイド２１は、記録媒体の挿入口３３、３４の形成前面に対して平行移動するように、挿入ガイド２１の下端部がディスプレイ部２１の上端部に回動可能に弾性保持されており、挿入ガイド２１の裏面が前面板３２に当接する方向に、例えば、捩じりばね２５などにより付勢されている。
【００２５】
ディスプレイ部２０の上部には、側面方向に突出してガイドピン２５が設けられており、本体前面部３０の内側面に形成されたガイド溝３１に係合している。また、ディスプレイ部２０の下部はスライド機構のスライド部３５の先端部に回動自在に接続している。したがって、モータの回転方向を切り換えることにより、ディスプレイ部２０の下部が前後方向に移動する。この動きに連動してディスプレイ部２０の上部が上下方向に移動するので、ディスプレイ部２０の傾斜角度を垂直状態から水平状態まで無段階に調整することができる。
【００２６】
本体前面部３０の前面部の側面にはディスプレイ部２０の上部に設けられたガイドピン２５に係合し、垂直上下方向の移動をガイドするガイド溝３１が形成されている。また、前面板３２にはそれぞれの記録媒体の挿入口３３、３４が設けられている。その他に、スライド機構のスライド部３５の挿通孔や挿入ガイド２１の挿通孔などが設けられている。
【００２７】
本例の場合、挿入口３３はＣＤ（コンパクトディスク）の挿入口、挿入口３４はＭＤ（ミニディスク）の挿入口とする。
【００２８】
次に、記録媒体の挿入または排出について説明する。
【００２９】
ディスプレイ部２０のモニタリング状態から記録媒体を再生部に挿入または再生部から排出するには、先ずスライド機構のスライド部３５を前方へ移動させ、挿入ガイド２１に形成されたガイド部２２、２３のうち、例えば、挿入する記録媒体のガイド部２２と本体側に設けられた記録媒体の挿入口３３とが合致する位置で停止させる。この状態で記録媒体をガイド部２２に沿わせながら挿入したり、または記録媒体を排出する。次に、挿入・排出動作が完了すればスライド機構を後方へ移動させて、ディスプレイ部２０を元の状態（例えば、モニタリング状態または垂直状態）に戻す。これらの動作は、内蔵されたコンピュータに記録されており、釦操作により実行される。例えば、ＣＤと表示された釦を操作するとディスプレイ部２０が動作して、ガイド部２２と挿入口３３とが合致する位置で停止する。また、ＭＤと表示された釦を操作するとディスプレイ部２０が動作して、ガイド部２３と挿入口３４とが合致する位置で停止する。
【００３０】
以上説明したように本発明の第１の実施の形態に係る記録媒体再生装置１０によれば、記録媒体の挿入口３３とガイド部２２、または、挿入口３４とガイド部２３との組み合わせで、所望する記録媒体と合致する組み合わせの状態で挿入するので、記録媒体を間違えて挿入することがなくなると共に、容易に挿入することができる。本実施の形態では、挿入口とガイド部との組み合わせを二つの組み合わせとしたが必要により増やすこともできる。
【００３１】
尚、本実施の形態では挿入ガイド２１のガイド部２２、２３を階段状に設けたが、これに限らず、例えば、図３で示す挿入ガイド２７のように外形形状が最小寸法の記録媒体（ＭＤ）の挿入幅と最大寸法の記録媒体（ＣＤ）の挿入幅とに外接し、天面側方向に増大するように直線で結び対向する傾斜面のガイド部２８にすることもできる。ガイド部２８を傾斜面に形成することにより、最少寸法から最大寸法までの間に属する記録媒体を無段階にガイドすることができる。
【００３２】
その他に、挿入ガイド２９を変形可能な弾性部材（例えば、ウレタン樹脂）で形成することにより、図４で示すようにディスプレイ部２０が垂直状態において、挿入ガイド２９を本体前面部３７の上面に設けられた凹部３８に収納することができる。尚、記録媒体のガイド部の形状は上述のガイド部と略同じである。効果としては、挿入ガイド２９が本体前面部３７の上面内部に収納されるので上述の効果の他に見栄えがよくなる。
【００３３】
次に、本発明の第２の実施の形態を図４を用いて説明する。
【００３４】
図４は本発明の第２の実施の形態に係る記録媒体再生装置を示す概略図で、（ａ）正面図、（ｂ）側面図である。尚、第２の実施の形態は第１の実施の形態の一部を変更したもので、その他については第１の実施の形態と略同じであるので、変更部を重点に説明し同じ構成については同じ符号を付し説明を簡略または省略する。
【００３５】
１１は傾斜可能に設けられたディスプレイ部２０と、ディスプレイ部２０の裏面後方の本体前面部４０に接続した本体部には、複数種類の記録媒体の再生部やディスプレイ部２０の傾斜角度を調整するスライド機構（例えば、ラックとモータ軸に固定されたピニオンとの歯合により前後方向に移動する）などが一体に構成された一体型の記録媒体再生装置である。
【００３６】
本体前面部４０の前面部の側面にはディスプレイ部２０の上部に設けられたガイドピン２５に係合し、垂直上下方向の移動をガイドするガイド溝４１が形成されている。また、前面板４２には複数種類の記録媒体の挿入口が形成されている。本例の場合、４３はＣＤの挿入口で、挿入口４３の図示下方には、当該記録媒体（ＣＤ）の幅より狭く、他の記録媒体（ＭＤ／ＳＤカード）などの幅より広い幅の溝４４が形成され、溝４４の奥にはＭＤ以下の異種の記録媒体の挿入を防止する挿入防止壁４５が立設している。
【００３７】
また、４６はＭＤの挿入口で、挿入口４６の図示下方には、当該記録媒体（ＭＤ）の幅より狭く、他の記録媒体（ＳＤカード／マルチメディアカード）などの幅より広い幅の溝４４が形成され、溝４７の奥には異種の記録媒体（ＳＤカード／マルチメディアカード）などの挿入を防止する挿入防止壁４８が立設している。その他に、スライド機構のスライド部３５の挿通孔などが設けられている。
【００３８】
以上説明したように本発明の第２の実施の形態に係る記録媒体再生装置１１によれば、例えば、記録媒体（ＣＤ）の挿入口４３または記録媒体（ＭＤ）の挿入口４６の下側の両側の一部を残し下方に溝４４または４７を設け、溝４４の奥に挿入防止壁４５を、また、溝４７の奥に挿入防止壁４８が設けられている。例えば、所望する記録媒体（ＣＤ）の挿入口４３に、異種の記録媒体（ＭＤ／ＳＤカード）などが挿入されると、適合しない小さな記録媒体（ＭＤ／ＳＤカード）などは溝４４に落ち込み、押し込んでも奥に設けられた挿入防止壁４５に当接するので誤挿入を防止することができる。また、所望する記録媒体（ＭＤ）の挿入口４６に、異種の記録媒体（ＳＤカード／マルチメディアカード）などが挿入されると、適合しない小さな記録媒体（ＳＤカード／マルチメディアカード）などは溝４７に落ち込み、押し込んでも奥に設けられた挿入防止壁４８に当接するので誤挿入を防止することができる。
【００３９】
次に、本発明の第３の実施の形態を図５および図６を用いて説明する。
【００４０】
図５は本発明の第３の実施の形態に係る記録媒体再生装置を示す概略図で、（ａ）正面図、（ｂ）側面図、（ｃ）閉鎖部材正面図である。図６は本発明の第３の実施の形態に係る閉鎖部材と一部が異なる閉鎖部材を示す概略図で、（ａ）側面図、（ｂ）閉鎖部材正面図である。尚、第３の実施の形態は第１の実施の形態と同じ構成については同じ符号を付し説明を簡略または省略する。
【００４１】
１２は傾斜可能に設けられたディスプレイ部２０と、ディスプレイ部２０の裏面後方の本体前面部３０に接続した本体部には、複数種類の記録媒体の再生部やディスプレイ部２０の傾斜角度を調整するスライド機構（例えば、ラックとモータ軸に固定されたピニオンとの歯合により前後方向に移動する）および閉鎖部材５０などが一体に構成された一体型の記録媒体再生装置である。
【００４２】
閉鎖部材５０は、所望する記録媒体の挿入口以外の挿入口を一時的に塞ぐもので、短冊形状をなし先端部から所定の位置に複数種類の記録媒体が挿通可能な挿通口５１が一箇所設けられている。閉鎖部材５０の材料には不織布や軟質の樹脂シートなどが用いられる。
【００４３】
閉鎖部材５０は、挿入口３３、３４の形成された前面板３２の裏面側の上部に設けられたローラ５２を介し、前面板３２に沿って略垂直に設けられ、先端部が固定具５３によりディスプレイ部２０の上端部に取付けられる。また、水平方向に設けられた閉鎖部材５０の終端部には、閉鎖部材５０を本体部の方向へ引張するように、例えば、引張りコイルばね５４（付勢部材に相当）に係止している。尚、閉鎖部材５０は、ディスプレイ部２０の傾斜角度の変化に連動して閉鎖部材５０の挿通口５１が移動する。
【００４４】
本例の場合、挿入口３３はＣＤの挿入口、挿入口３４はＭＤの挿入口とする。
【００４５】
次に、記録媒体の挿入または排出について説明する。
【００４６】
ディスプレイ部２０のモニタリング状態から記録媒体（ＣＤ）を再生部に挿入または再生部から排出するには、先ずスライド機構のスライド部３５を前方へ移動させ、閉鎖部材５０の挿通口５１と記録媒体（ＣＤ）の挿入口３３とが合致する位置で停止させる。この状態で記録媒体（ＣＤ）を挿入口３３（再生部）に挿入したり、または記録媒体（ＣＤ）を排出する。この状態では、例えば、他の記録媒体（ＭＤ）の挿入口３４は一時的に塞がれ、記録媒体の挿入および排出ができなくなる。次に、挿入・排出動作が完了すればスライド機構を後方へ移動させて、ディスプレイ部２０を元の状態（例えば、モニタリング状態または垂直状態）に戻す。
【００４７】
また、ディスプレイ部２０のモニタリング状態から記録媒体（ＭＤ）を再生部に挿入または再生部から排出するには、先ずスライド機構のスライド部３５を前方へ移動させ、閉鎖部材５０の挿通口５１と記録媒体（ＭＤ）の挿入口３４とが合致する位置で停止させる。この状態で記録媒体（ＭＤ）を挿入口３４（再生部）に挿入したり、または記録媒体を排出する。この状態では、例えば、他の記録媒体（ＣＤ）の挿入口３３は一時的に塞がれ、記録媒体（ＣＤ）の挿入および排出ができなくなる。次に、挿入・排出動作が完了すればスライド機構を後方へ移動させて、ディスプレイ部２０を元の状態（例えば、モニタリング状態または垂直状態）に戻す。これらの動作は、内蔵されたコンピュータに記録されており、釦操作により実行される。例えば、ＣＤと表示された釦を操作するとディスプレイ部２０が動作して、閉鎖部材５０の挿通口５１と挿入口３３とが合致する位置で停止し、他の挿入口３４は閉鎖部材５０で一時的に塞がれる。また、ＭＤと表示された釦を操作するとディスプレイ部２０が動作して、閉鎖部材５０の挿通口５１と挿入口３４とが合致する位置で停止し、他の挿入口３３は閉鎖部材５０で一時的に塞がれる。
【００４８】
以上説明したように本発明の第３の実施の形態に係る記録媒体再生装置１２によれば、前面板３２の裏面側にディスプレイ部２０の傾斜角度の変動に連動して動くように閉鎖部材５０を設けることにより、所望する記録媒体の挿入口以外の挿入口を一時的に塞ぐので、記録媒体を間違えて他の挿入口に挿入する不具合を防止することができる。
【００４９】
尚、本発明の第３の実施の形態では、閉鎖部材５０をディスプレイ部２０の上端部に取付けたが、その他に、図６で示すように閉鎖部材５５の先端分をスライド部３５に取付け、所望する記録媒体の挿入口に閉鎖部材５５の挿通口５６を合致させ、その他の挿入口を閉鎖するので、記録媒体の誤挿入を防止することができる。
【００５０】
次に、本発明の第４の実施の形態を図７および図８を用いて説明する。
【００５１】
図７は本発明の第４の実施の形態に係る記録媒体再生装置を示す概略図で、（ａ）正面図、（ｂ）側面図、（ｃ）Ａ−Ａ断面図（受面）、（ｄ）Ａ−Ａ断面図（別の形状の受面）である。図８は本発明の第４の実施の形態に係る挿入ガイドと一部が異なる別の挿入ガイドを示す概略正面図である。尚、第４の実施の形態は第１の実施の形態と同じ構成については同じ符号を付し説明を簡略または省略する。
【００５２】
１３は傾斜可能に設けられたディスプレイ部６０と、ディスプレイ部６０の裏面後方の本体前面部３０に接続した本体部には、複数種類の記録媒体の再生部やディスプレイ部６０の傾斜角度を調整するスライド機構（例えば、ラックとモータ軸に固定されたピニオンとの歯合により前後方向に移動する）などが一体に構成された一体型の記録媒体再生装置である。
【００５３】
ディスプレイ部６０の上端部には、複数の記録媒体のそれぞれの幅に相当し、対向する階段状のガイド部６２、６３を有する挿入ガイド６１が、ディスプレイ部６０の上端部と一体形成されている。また、階段状のガイド部６２、６３の録媒体の受面６５、６６の断面形状を、図７（ｄ）で示すように受面６７、６８を山形形状に形成してもよい。
【００５４】
ディスプレイ部６０の上部には、側面方向に突出してガイドピン６４が設けられており、本体前面部３０の内側面に形成されたガイド溝３１に係合している。また、ディスプレイ部６０の下部はスライド機構のスライド部３５の先端部に回動自在に接続している。したがって、モータの回転方向を切り換えることにより、ディスプレイ部６０の下部が前後方向に移動する。この動きに連動してディスプレイ部６０の上部が上下方向に移動するので、ディスプレイ部６０の傾斜角度を垂直状態から水平状態まで無段階に調整することができる。
【００５５】
本例の場合、挿入口３３はＣＤの挿入口、挿入口３４はＭＤの挿入口とする。
【００５６】
次に、記録媒体の挿入または排出について説明する。
【００５７】
ディスプレイ部６０のモニタリング状態から記録媒体（ＣＤ）を再生部に挿入または再生部から排出するには、先ず、スライド機構のスライド部３５を前方へ移動させ、挿入ガイド６１に形成されたガイド部６２と記録媒体（ＣＤ）の挿入口３３とが合致する位置で停止させる。この状態で記録媒体（ＣＤ）を挿入口３３（再生部）に挿入したり、または記録媒体（ＣＤ）を排出する。次に、挿入・排出動作が完了すればスライド機構のスライド部３５を後方へ移動させて、ディスプレイ部６０を元の状態（例えば、モニタリング状態または垂直状態）に戻す。
【００５８】
また、ディスプレイ部６０のモニタリング状態から記録媒体（ＭＤ）を再生部に挿入または再生部から排出するには、先ずスライド機構のスライド部３５を前方へ移動させ、挿入ガイド６１に形成されたガイド部６３と記録媒体（ＭＤ）の挿入口３４とが合致する位置で停止させる。この状態で記録媒体（ＭＤ）を挿入口３４（再生部）に挿入したり、または記録媒体（ＭＤ）を排出する。次に、挿入・排出動作が完了すればスライド機構のスライド部３５を後方へ移動させて、ディスプレイ部６０を元の状態（例えば、モニタリング状態または垂直状態）に戻す。これらの動作は、内蔵されたコンピュータに記録されており、釦操作により実行される。例えば、ＣＤと表示された釦を操作するとディスプレイ部６０が動作して、ガイド部６２と挿入口３３とが合致する位置で停止する。また、ＭＤと表示された釦を操作するとディスプレイ部６０が動作して、ガイド部６３と挿入口３４とが合致する位置で停止する。
【００５９】
以上説明したように本発明の第４の実施の形態に係る記録媒体再生装置１３によれば、記録媒体の挿入口３３とガイド部６２、または、挿入口３４とガイド部６３との組み合わせで、所望する記録媒体と合致する組み合わせの状態で挿入するので、記録媒体を間違えて挿入することがなくなると共に、容易に挿入することができる。また、階段状のガイド部６２、６３の記録媒体の受面６５、６６の断面形状を、山形形状の受面６７、６８に形成することにより、ディスプレイ部６０が傾斜しても記録媒体を所望する挿入口へ正確にガイドすることがてきる。その他に、挿入ガイド６１をディスプレイ部６０の上端部と一体形成することにより構造が簡略化されるのでコスト低減が図れる。
【００６０】
尚、本実施の形態では挿入ガイド６１のガイド部６２、６３を階段状に設けたが、これに限らず、例えば、図８で示す挿入ガイド７０のように外形形状が最小寸法の記録媒体（ＭＤ）の挿入幅と最大寸法の記録媒体（ＣＤ）の挿入幅とに外接し、天面側方向に増大するように直線で結ばれた傾斜面でガイド部７１を形成することもできる。ガイド部７１を傾斜面で形成することにより、最少寸法から最大寸法までの間に属する記録媒体を無段階にガイドすることができる。
【００６１】
【発明の効果】
以上説明したように本発明によれば、傾斜可能に設けられたディスプレイ部と、複数種類の記録媒体の再生部などから構成される記録媒体再生装置において、記録媒体の誤挿入を防止すると共に、所望する記録媒体を所定の挿入口に容易に挿入することができる。
【図面の簡単な説明】
【図１】本発明の第１の実施の形態に係る記録媒体再生装置を示す概略図である。
【図２】本発明の第１の実施の形態に係る挿入ガイドと一部が異なる挿入ガイドを示す概略正面図である。
【図３】本発明の第１の実施の形態に係る挿入ガイドと一部が異なる別の挿入ガイドを示す概略側面図である。
【図４】本発明の第２の実施の形態に係る記録媒体再生装置を示す概略図である。
【図５】本発明の第３の実施の形態に係る記録媒体再生装置を示す概略図である。
【図６】本発明の第３の実施の形態に係る閉鎖部材と一部が異なる閉鎖部材を示す概略図である。
【図７】本発明の第４の実施の形態に係る記録媒体再生装置を示す概略図である。
【図８】本発明の第４の実施の形態に係る挿入ガイドと一部が異なる挿入ガイドを示す概略正面図である。
【図９】従来の記録媒体再生装置を示す概略図である。
【符号の説明】
１０，１１，１２，１３・・記録媒体再生装置
２０，６０・・ディスプレイ部
２１，２７，２９，６１，７０・・挿入ガイド
２２，２３，２８，６２，６３，７１・・ガイド部
２４，６４・・ガイドピン
２５・・捩じりばね
３０，３７，４０・・本体前面部
３１，４１・・ガイド溝
３２，４２・・前面板
３３，３４，４３，４６・・挿入口
３５・・スライド部
３８・・凹部
４４，４７・・溝
４５，４８・・挿入防止壁
５０，５５・・閉鎖部材
５１，５６・・挿通口
５２・・ローラ
５３・・固定具
５４・・引張コイルばね
６５，６６，６７，６８・・受面
【図１】
2004103160.tif 000003
【図２】
2004103160.tif 000004
【図３】
2004103160.tif 000005
【図４】
2004103160.tif 000006
【図５】
2004103160.tif 000007
【図６】
2004103160.tif 000008
【図７】
2004103160.tif 000009
【図８】
2004103160.tif 000010
【図９】
2004103160.tif 000011